(57)【要約】      （修正有）【課題】ディスプレイによりビデオ映像内容を再生することで、形式及び内容の多様化を図り、ユーザ体験を向上する電子仏壇を提供する。【解決手段】電子仏壇は、仏壇室１と、仏壇室のバックパネルに設けられ、その表示面がビューウィンドウに向いているディスプレイ３と、仏壇室内に設けられる仏像２と、ディスプレイに接続され、ディスプレイ上に再生するビデオ映像内容が格納されているプレーヤーと、を含む。ディスプレイによりビデオ映像内容を再生することで、形式の多様化を図り、動的効果を具現することにより、ユーザ体験を向上し、従来の仏壇に存在する構成及び機能がシンプルであるという問題点を解消する。【選択図】図１
0003204709.tif 000002
【実用新案登録請求の範囲】
【請求項１】
仏壇室と、
前記仏壇室のバックパネルに設けられ、その表示面がビューウィンドウに向いているディスプレイと、
前記仏壇室内に設けられる仏像と、
前記ディスプレイに接続されるプレーヤーと、
を含むことを特徴とする電子仏壇。
【請求項２】
前記仏壇室内に位置する台座をさらに含み、
前記仏像は前記台座上に位置する、
ことを特徴とする請求項１に記載の電子仏壇。
【請求項３】
前記台座は透明台座である、
ことを特徴とする請求項２に記載の電子仏壇。
【請求項４】
前記仏壇室内に設けられるライトをさらに含む、
ことを特徴とする請求項１に記載の電子仏壇。
【請求項５】
前記透明台座内にはライトが設けられる、
ことを特徴とする請求項３に記載の電子仏壇。
【請求項６】
オーディオを再生するためのオーディオ機器をさらに含む、
ことを特徴とする請求項１に記載の電子仏壇。
【請求項７】
前記ディスプレイ及び前記プレーヤーに接続され、前記ディスプレイ及び前記プレーヤーに電力を供給するための電源管理システムをさらに含む、
ことを特徴とする請求項１に記載の電子仏壇。
【請求項８】
前記プレーヤーには変更可能なビデオ映像が含まれている、
ことを特徴とする請求項１から７のいずれか一項に記載の前記電子仏壇。
【考案の詳細な説明】
【技術分野】
【０００１】
本考案は、宗教または祭礼の用具に関し、特に電子仏壇に関する。
【背景技術】
【０００２】
宗教文化において、人々は、宗教信仰のために、仏壇と称する神仏を祀る壇を家に安置して供養することで、願いを託している。また、一部の観光スポットでも仏壇を安置して、人々が供養するようにすることで、仏教文化に対する理解を深めるようにしている。
【０００３】
従来の仏壇は、構成及び機能がシンプルであり、仏壇室内に実物の仏像が置かれるだけの場合が多い。仏壇室は、頂面、底面、バックパネル及びビューウィンドウで囲まれてなり、仏像は、仏壇室内に置かれたまま静止されており、仏像の前面の下部には仏教を紹介する画像や文字板が設けられることもあるが、これらも静止したものである。
【０００４】
従って、伝統的な仏壇は、静止した実物の仏像、画像、文字などの形に留まっているものが多く、その表現形式が単一であり、文化と芸術とが渾然一体となることができないので、人々に大きい視覚的インパクトを与えることができず、また、画像、文字の煩わしい交換作業も必要となる。
【考案の概要】
【０００５】
本考案は、従来技術における上記のような問題点に鑑みてなされたものであり、ディスプレイによりビデオ映像内容を再生することで、形式及び内容の多様化を図り、ユーザ体験を向上する電子仏壇を提供することにより、従来の仏壇に存在する構成及び機能がシンプルであるという問題点を解消する。
【０００６】
上記の技術的課題を解決するための本考案は、以下のような技術案により実現される。
【０００７】
本考案は、
仏壇室と、
前記仏壇室のバックパネルに設けられ、その表示面がビューウィンドウに向いているディスプレイと、
前記仏壇室内に設けられる仏像と、
前記ディスプレイに接続されるプレーヤーと
を含む電子仏壇を提供する。
【０００８】
前記電子仏壇は、前記仏壇室内に位置する台座をさらに含み、前記仏像は前記台座上に位置することが好ましく、この場合、台座の前にお供え物及び他の仏具が置かれたとしても、仏像を遮ることがなく、また、台座を各種の形状にすることで、仏壇が一層上品で美しく見えるようにすることができ、視覚効果を向上することができる。
【０００９】
前記台座は透明台座であることが好ましく、背景ディスプレイにより内容を再生する際に、仏像が空中に浮上しているような立体感を作り出すとともに、仏像の光線の明るさを高め、仏像がより鮮明でより美しく見えるようにする。
【００１０】
前記電子仏壇は、前記仏壇室内に設けられるライトをさらに含むことが好ましく、当該ライトは、仏壇室内の明るさを高めるだけでなく、仏壇室内の色彩を増やすようにカラーライトにしてもよく、ディスプレイに表示される内容と連動して、動的効果を一層強くすることができる。
【００１１】
前記透明台座内にはライトが設けられることが好ましい。
【００１２】
前記電子仏壇は、電源管理システムに接続されるオーディオ機器をさらに含むことが好ましく、前記オーディオ機器は、各種オーディオ及び背景音楽等のオーディオを再生することにより、人々に全く新しい視覚的及び聴覚的な楽しみを与え、視／聴の組み合わせにより、仏教に対する人々の理解を深めることができる。
【００１３】
前記電子仏壇は、前記ディスプレイ及び前記プレーヤーに接続され、前記ディスプレイ及び前記プレーヤーに電力を供給するための電源管理システムをさらに含むことが好ましい。電源管理システムが設られると、仏壇は、外部電源を必要としないので、任意の場所に配置可能であり、また、決まった時間にディスプレイ及びプレーヤーに電力を供給するように電源管理システムを設定することができるので、節電を図ることができる。
【００１４】
前記プレーヤーには変更可能なビデオ映像が含まれることが好ましく、ニーズに応じてビデオ映像内容を変更することができるので、異なる応用シーンに適用可能であり、また定期的に変更することができるので、人々が仏教に関する最新情報を理解するようにすることができる。
【００１５】
本考案は、従来の技術と比較して以下のような利点を有する。
【００１６】
（１）本考案により提供される電子仏壇は、ディスプレイによりビデオ映像を再生することで、動的効果を具現することにより、ユーザ体験を向上する。
（２）本考案に係る電子仏壇は、ニーズに応じてプレーヤー中のビデオ映像を変更することができるので、人々からの異なるニーズに答えることができ、その適用範囲が広い。また、定期的に変更可能であるので、人々が最新の仏教文化を理解するようにすることができる。
（３）本考案に係る電子仏壇は、ライトをさらに設けてもよく、ディスプレイと結合して、仏壇室内の光線の明るさを高め、仏壇の気合及び芸術性を向上することができ、人々に大きい視覚的なインパクトを与えられる。
【００１７】
当然なことながら、本考案を実施するための如何なる製品も、上述の全ての利点を同時に達成する必要があるとは限らない。
【図面の簡単な説明】
【００１８】
以下、図面を参照して、本考案の実施形態についてさらに具体的に説明する。
【図１】本考案の実施例１に係る電子仏壇の構成を示す模式図である。
【図２】本考案の実施例２に係る電子仏壇の構成を示す模式図である。
【考案を実施するための形態】
【００１９】
以下、本考案の実施例について詳しく説明する。本実施例は、本考案の技術案を前提に実施されるもので、具体的な実施形態及び具体的な操作過程を示しているが、本考案の保護範囲は、後述の実施例のみに限定されるものではない。
【００２０】
実施例１：
本実施例では、図１を参照して、本考案に係る電子仏壇について詳しく説明する。図１は、本考案に係る電子仏壇の構成を示す模式図であり、当該電子仏壇は、仏壇室１、仏像２、ディスプレイ３及びプレーヤー（図示しない）を含む。ここで、仏壇室１のビューウィンドウは、閉鎖されたものであってもよく、解放されたものであってもよい。仏像２は、仏壇室１内に設けられ、ディスプレイ３は、仏壇室１のバックパネルに設けられ、その表示面がビューウィンドウに向いている。プレーヤー４は、ディスプレイ３に接続され、当該プレーヤー４にはディスプレイ３に表示できるビデオ映像内容が格納されている。プレーヤー４は、仏壇室１の中の任意の位置に設けられてもよい。プレーヤー中の内容は、各シーンごとのニーズ、または時間帯ごとのニーズに応じて内容を変更することができるので、その適用範囲が広い。また、プレーヤーには複数のビデオ映像内容が格納され、複数のビデオ映像内容を決まった時刻に再生することができるので、ディスプレイ３は、さらに、時間帯ごとに異なる内容を再生することができる。
【００２１】
本実施例に係る電子仏壇は、ディスプレイによりビデオ映像を再生することで、動的効果を具現することにより、ユーザ体験を向上し、ユーザの仏教文化への興味を高め、仏教文化の伝播を図ることができる。また、ディスプレイによる内容再生の際に、仏壇室１の内部の明るさが高くなるので、仏壇の気合及び芸術性が向上する。また、プレーヤー中の内容は随時に変更することができるので、操作が簡単であるだけでなく、人々が、より多く、より新しい仏教文化を理解するようにする。
【００２２】
実施例２：
本実施例は、実施例１の基に台座４を追加した構成である。図２に示すように、台座４は仏壇室１内に設けられ、仏像２は台座４の上に設けられるので、台座４の前にお供え物及び他の仏具が置かれたとしても、仏像を遮ることはない。台座４の形状は、図２に示す形状のみに限定されず、ニーズに応じて例えば蓮の台等の各種の形状にすることで、電子仏壇が一層上品で美しく見えるようにすることができる。
【００２３】
好ましい実施例として、台座４は透明台座であってもよい。ディスプレイ３が仏壇室１のバックパネル全体を占める場合、台座を透明にすると、ディスプレイ３により再生される内容を遮ることなく、仏像が空中に浮上しているような立体感を作り出すことができる。
【００２４】
好ましい実施例として、仏壇室１の内部の光線の明るさを高めるために、仏壇室１内にライトをさらに設けてもよい。ライトは、仏壇室１内の底部に設けてもよく、仏壇室１内の側面に設けてもよい。仏壇室１内に透明台座が含まれている場合、ライトは、透明台座内に設けられてもよい。なお、ライトは、カラーのライトにしてもよく、それにより、仏壇室１の内部の色彩を増やして、仏壇が色とりどりに見えるようにする。
【００２５】
好ましい実施例として、ユーザ体験を高めるために、電子仏壇の内部にオーディオ機器をさらに設けて、各種オーディオ及び背景音楽等のオーディオを再生することで、ディスプレイ３に表示される内容と調和させ、視／聴の組み合わせによりユーザ体験をさらに向上させてもよい。
【００２６】
好ましい実施例として、仏壇は、ディスプレイ３、プレーヤー、オーディオ機器及びライト等に電力を供給するための電源管理システムをさらに含んでもよい。この場合、電子仏壇は、外部電源を必要としないので、任意の場所でも配置可能である。同時に、電源管理システムは、決まった時間に電源オンオフするように設定されてもよく、例えば、見る人がいない夜等の非使用時に自動的に電源オフすることで、節電・省エネを実現できる。
【００２７】
ここで公開されたのは本考案の好ましい実施例である。本明細書でこれらの実施例を挙げて具体的に説明したのは、本考案の原理と実際的応用をより良く説明するためであって、本考案を限定するためではない。当業者が本明細書の範囲内において行った如何なる修正及び変更は、本考案の保護範囲に入るべきである。
【符号の説明】
【００２８】
１    仏壇室
２    仏像
３    ディスプレイ
４    台座
【図１】
0003204709.tif 000003
【図２】
0003204709.tif 000004